(57)【特許請求の範囲】
【請求項１】
照明装置より照射される光の経路に設けられ、前記光の一部を透過させ残りの全部または一部を集める透過集光部と、
前記透過集光部で集められた光を前記透過集光部から離れた場所に導く導光部と、
前記導光部に導かれた光を照射させる照射部と、
を備え、
前記透過集光部の前記照明装置に近い側の面に、前記照明装置から発せられた光が前記導光部に向けて反射される反射面を有する反射部が、前記導光部への離接方向に複数個が間隔をあけて並設され、前記反射部は、前記導光部から遠い程、前記透過集光部の前記面からの突出高さが高く形成されることを特徴とする導光照明装置。
【請求項２】
一個の前記透過集光部に対して前記導光部および前記照射部をそれぞれ複数個備えることを特徴とする請求項１記載の導光照明装置。
【発明の詳細な説明】
【技術分野】
【０００１】
本発明は、天井部等に固定される照明装置より照射される光を導く導光照明装置に関する。
【背景技術】
【０００２】
従来より、天井部等の取付部に固定されるダウンライト等の照明装置が利用されている。このような照明装置にあっては、照明装置が設けられた部分の下方向を中心にして光が照射され、前記中心から離れる程、届く光の量が少なくなり、光の死角が生じる惧れがある。
【先行技術文献】
【特許文献】
【０００３】
【特許文献１】特開２００７−５２１６号公報
【発明の概要】
【発明が解決しようとする課題】
【０００４】
しかしながら、光源を有する照明装置を追加するとなると、設置工事が必要となり、手間およびコストがかかってしまうものであった。
【０００５】
本発明は上記従来の問題点に鑑みて発明したものであって、その目的とするところは、光源を有する照明装置を追加することなく、既存の照明装置を用いて、光の死角が生じるのを抑えられる、導光照明装置を提供することを課題とするものである。
【課題を解決するための手段】
【０００６】
上記課題を解決するために、本発明は、以下のような構成とする。
【０００７】
照明装置より照射される光の経路に設けられ、前記光の一部を透過させ残りの全部または一部を集める透過集光部と、前記透過集光部で集められた光を前記透過集光部から離れた場所に導く導光部と、前記導光部に導かれた光を照射させる照射部と、を備える。前記透過集光部の前記照明装置に近い側の面に、前記照明装置から発せられた光が前記導光部に向けて反射される反射面を有する反射部が、前記導光部への離接方向に複数個が間隔をあけて並設され、前記反射部は、前記導光部から遠い程、前記透過集光部の前記面からの突出高さが高く形成されることを特徴とする。
【発明の効果】
【０００８】
本発明にあっては、光源を有する照明装置を追加することなく、既存の照明装置より照射される光を離れた場所に導いて照射させることができ、光の死角が生じるのを抑えられる。
【図面の簡単な説明】
【０００９】
【図１】図１は第一実施形態の導光照明装置の斜視図である。
【図２】図２は第一実施形態の導光照明装置が、照明装置が設けられた天井部に設けられた状態の天井部を透視した斜視図である。
【図３】図３Ａは第一実施形態の導光照明装置の透過集光部、照明装置、天井部の要部縦断面図であり、図３Ｂは第一実施形態の導光照明装置の透過集光部の下面図である。
【図４】図４は第二実施形態の導光照明装置の斜視図である。
【図５】図５は第三実施形態の導光照明装置の透過集光部および導光部の下面図である。
【図６】図６は第四実施形態の導光照明装置の透過集光部および導光部の下面図である。
【図７】図７は第五実施形態の導光照明装置の透過集光部および導光部の下面図である。
【図８】図８は第五実施形態の導光照明装置の透過集光部および導光部と、照明装置の光源の側断面図である。
【図９】図９は第六実施形態の導光照明装置の透過集光部および導光部の下面図である。
【図１０】図１０は第七実施形態の導光照明装置の透過集光部および導光部の下面図である。
【図１１】図１１は従来の照明装置の光の照射を説明する斜視図である。
【発明を実施するための形態】
【００１０】
以下、本発明の導光照明装置の第一実施形態について、図１乃至図３に基いて説明する。
【００１１】
本発明の導光照明装置１は、図１に示すように、照明装置５より照射される光を、離れた場所より照射させるものである。
【００１２】
照明装置５としては、既存の公知の様々な照明装置５が対象となるが、図２に示すように、天井部６等の取付部に固定される照明装置５が好適な対象となる。取付部は、主に建物の天井部６または壁部であるが、床やその他の部分であってもよく、特に限定されない。照明装置５は、第一実施形態では、図３Ａに示すように、天井部６に埋設されるいわゆるダウンライトであるが、ダウンライトに限定されない。また、照明装置５は、天井部６や壁部等に埋設されるものでなくてもよく、天井部６の下面（すなわち天井面６１）や、壁面の室内側に設けられてもよい。
【００１３】
第一実施形態のダウンライトからなる照明装置５は、図３Ａに示すように、天井部６に埋設されるケーシング５０を備えている。ケーシング５０には、光源５１と、商用電源等の電源から供給される電力を基に光源５１の動作電力を作成する電源部（不図示）と、光源５１から発せられる光を所定範囲の向きに配向させる反射部５２と、が設けられている。
【００１４】
光源５１は、第一実施形態ではＬＥＤ（Light Emitting Diode）であるが、白熱電球、蛍光灯、ハロゲンランプ、その他であってもよく、特に限定されない。ＬＥＤからなる光源５１は、ＬＥＤ素子およびＬＥＤ素子を実装する基板、その他の付随する構成要素を備えている。光源５１がＬＥＤ以外である場合でも、付随する構成要素（例えば蛍光灯の場合の安定器等）を適宜備えてもよい。
【００１５】
反射部５２は、下方を向く凹面５２０を有するもので、所定の位置に配置された光源５１から発せられる光が、凹面５２０で反射して、進行方向が下方の所定範囲の向きに変更される。さらに第一実施形態では、反射部５２の下端の開口部に、カバー５３が設けられている。
【００１６】
カバー５３は、透光性を有するもので、ガラスや樹脂等により形成されるが、材質は特に限定されない。また、カバー５３は、色を有したり、乳白色等のいわゆる半透明状となっていてもよい。なお、カバー５３は設けられなくてもよい。
【００１７】
第一実施形態では、図３Ａに示すように、ケーシング５０に、下端の開口縁から外側に向けてフランジ５４が設けられている。フランジ５４は、下面視において円形状をしているが、形状は特に限定されない。ケーシング５０は、天井部６に形成された開口６２に下方より挿入され、天井面６１の開口６２の周囲の部分にフランジ５４が当接する。ケーシング５０は、フランジ５４を介してビス等の固着具が天井部６に打ち込まれて、天井部６に固定される。また、図示しないが、ケーシング５０は、天井部６の上側においてケーシング５０の外側にねじ部材が螺合して、ねじ部材とフランジ５４とで天井部６を上下から挟持する状態として、天井部６に固定されてもよい。また、フランジ５４が粘着テープや接着剤によって天井面６１に接着されることで、ケーシング５０が天井部６に固定されてもよく、ケーシング５０の天井部６への固定方法は特に限定されない。
【００１８】
この照明装置５は、図１１に示すように、下方向を中心に光を照射し、前記中心から離れる程、届く光の量が少なくなり、光の死角７（暗がり）が生じる惧れがある。そこで、本発明の導光照明装置１が設けられる。
【００１９】
導光照明装置１は、図１に示すように、透過集光部２と、導光部３と、照射部４と、を備える。
【００２０】
透過集光部２は、照明装置５より照射される光の経路に設けられ、光の一部を透過させ、残りの全部または一部を集めるものである。透過集光部２は、第一実施形態では、透光性を有するガラスや樹脂等により形成されるもので、図３Ａに示すように、カバー５３の下側に設けられ、カバー５３を覆っている。なお、透過集光部２の材質は限定されない。透過集光部２は、下面視において、照明装置５のフランジ５４と略同じ円形状をしており、大きさも略同じであるが、フランジ５４よりも若干大きい。そして、図１、図３Ｂに示すように、透過集光部２は、拡散部２１を有している。
【００２１】
拡散部２１は、表面に凹凸を有したり、いわゆるシボ加工等により微細な凹凸を有したりして、光を拡散させるもので、その形態は限定されない。拡散部２１によって光が拡散され、拡散された光の一部は下方に照射され、また他の一部は側方に照射される。このような拡散部２１は、透過集光部２の全体に設けられるものであってもよいし、一部に設けられるものであってもよく、第一実施形態では後述するように一部に設けられている。図３Ｂに示すように、透過集光部２の一部に拡散部２１が設けられる場合には、残りの部分は、光は拡散されずに殆ど下方に照射される透過部２０となる。
【００２２】
また第一実施形態では、透過集光部２は、図３Ａに示すように、外端部から上側に向けて筒部２２が設けられ、筒部２２の上端部から内側に向けて内フランジ２３が設けられている。そして、ケーシング５０が天井部６に固定される際、ケーシング５０のフランジ５４が、内フランジ２３を介して天井面６１の開口６２の周囲の部分に当接することで、内フランジ２３がフランジ５４と天井面６１の開口６２の周囲の部分とで挟持される。これにより、透過集光部２が天井部６に固定される。
【００２３】
なお、ビス等の固着具が透過集光部２（または内フランジ２３等）を介して天井部６に打ち込まれることで、透過集光部２が天井部６に固定されてもよい。また、透過集光部２は、粘着テープや接着剤によって天井部６に固定されてもよく、透過集光部２の天井部６への固定方法は特に限定されない。
【００２４】
また、透過集光部２は、第一実施形態では、図３Ａに示すように、ケーシング５０の下側に設けられているが、光源５１より発せられる光の経路であればケーシング５０内の部分に設けられてもよい。
【００２５】
図１に示すように、照明装置５の光源５１より発せられる光の一部が、透過集光部２にて導光部３に向けて偏向されて、透過集光部２の出光部２４から出光する。第一実施形態では、筒部２２は主に遮光性部材で形成され、出光部２４となる部分のみが透過集光部２と同様の透光性を有するガラスや樹脂等により形成されているが、筒部２２の全体が透光性を有する部材で形成されてもよい。この場合には、筒部２２の任意の位置が出光部２４となり得る。そして、図１に示すように、透過集光部２は、出光部２４の近傍に拡散部２１が設けられている。
【００２６】
導光部３は、透過集光部２で集められた光を、透過集光部２から離れた場所に導くものである。図１に示すように、導光部３は、透光性を有するガラスや樹脂等により形成され、表面の一部に入光面３１、出光面３２、および、反射面３３を有する。なお、導光部３の材質は特に限定されない。
【００２７】
第一実施形態では、導光部３は、図１に示すように、長手方向を有する棒状をしたもので、長手方向の一端面が入光面３１となり、他端面が出光面３２となる。導光部３の長手方向に沿う側面が、光が反射しながら入光面３１から出光面３２に向けて進行するための反射面３３となる。また、導光部３の長手方向と直交する断面における形状は、矩形状をしているが、特に限定されない。なお、導光部３の形状は、光が入光面３１から出光面３２に向けて進行する際、反射面３３において外部への透過量が少なく反射量が多くなる形状とすることが好ましい。
【００２８】
導光部３は、入光面３１が透過集光部２の出光部２４に当接または近接するように設けられる。導光部３は、粘着テープや接着剤によって天井部６に固定されてもよい。また、ビス等の固着具が導光部３または導光部３から連設されるフランジ状部を介して天井部６に打ち込まれることで、導光部３が天井部６に固定されてもよく、導光部３の天井部６への固定方法は特に限定されない。導光部３の出光面３２に当接または近接するように、照射部４が設けられる。
【００２９】
照射部４は、導光部３に導かれた光を照射させるものである。照射部４は、照明装置５のケーシング５０が設けられた部分から遠く、光源５１から届く光の量が少なく暗くなりがちな部分の天井部６に主に設けられるが、場所は特に限定されない。照射部４は、第一実施形態では、透光性を有するガラスや樹脂等により形成されるもので、図１に示すように、その入射面４１が導光部３の出光面３２に当接または近接するように設けられる。なお、照射部４の材質は限定されない。照射部４は、下面視において、透過集光部２と略同じ円形状をした板状のもので、大きさは透過集光部２よりも小さいが、形状や大きさは特に限定されない。照射部４は、円板の側面の一部が入射面４１となり、下側の板面が出射面４２となる。
【００３０】
照射部４は、第一実施形態では、拡散部を有している。拡散部は、出射面４２に凹凸を有したり、いわゆるシボ加工等により微細な凹凸を有したりして、光を拡散させるもので、その形態は限定されない。拡散部によって光は拡散され、拡散された光は下方に照射される。このような拡散部は、出射面４２の全体に設けられているが、一部に設けられるものであってもよい。
【００３１】
照射部４は、粘着テープや接着剤によって天井部６に固定されてもよい。また、ビス等の固着具が照射部４を介して天井部６に打ち込まれることで、照射部４が天井部６に固定されてもよく、照射部４の天井部６への固定方法は特に限定されない。
【００３２】
上述したような導光照明装置１が用いられることにより、既存の照明装置５より照射される光の一部を、透過集光部２で集め、導光部３により照明装置５から離れた照射部４へと導き、照射部４から照射させることができる。この結果、光の死角７が生じるのが抑えられる。そして、これにあたり、光源を有する照明装置５を追加する必要がないため、光源を有する照明装置５を追加するための設置工事の手間およびコストがかかるのが抑えられる。
【００３３】
また、既存の照明装置５を移設したり拡張変更する場合でも、天井部６の新たな部分に照明装置５を設置するため、結局設置工事の手間およびコストがかかってしまう。さらに、照明装置５がダウンライトである場合には、照明装置５が移設されると、天井部６に跡が残ってしまう。このようなことも、上記導光照明装置１が用いられることによって抑えられる。
【００３４】
次に、第二実施形態の導光照明装置１について、図４に基いて説明する。なお、上記実施形態と同じ構成については説明を省略し、主に異なる部分について説明する。
【００３５】
第一実施形態においては、透過集光部２、導光部３および照射部４がそれぞれ一個のみ設けられているのに対し、第二実施形態においては、導光部３および照射部４が二個設けられるものである。透過集光部２は一個のみ設けられている。
【００３６】
透過集光部２には、下面視において、中心を挟んで対向する位置に出光部２４が設けられており、この出光部２４に近接または当接するように導光部３の入光面３１が設けられている。なお、筒部２２の全体が透光性を有する部材で形成され、筒部２２の任意の位置が出光部２４となり得るものであってもよい。導光部３および照射部４は、それぞれ第一実施形態の導光部３および照射部４と同じである。
【００３７】
また、第二実施形態においては、拡散部２１は、透過集光部２の全体に形成されている。拡散部２１に当たった光は、一部が下方に照射され、残りの一部が導光部３へと集められる。
【００３８】
このように、導光部３および照射部４が二個設けられることにより、より一層、光の死角７が生じるのが抑えられる。なお、第二実施形態では、一個の透過集光部２に対して導光部３および照射部４が二個ずつ設けられているが、導光部３および照射部４が三個ずつ、四個ずつ、五個ずつ、それ以上の複数個設けられていてもよい。
【００３９】
次に、第三実施形態の導光照明装置１について、図５に基いて説明する。なお、上記実施形態と同じ構成については説明を省略し、主に異なる部分について説明する。
【００４０】
第三実施形態は、透過集光部２の形状が第一実施形態、第二実施形態と異なり、その他の部分は、第一実施形態、第二実施形態と同じである。
【００４１】
透過集光部２は、下面視における外郭形状が、弧状部２ａと、弧状部２ａの中心を挟んで弧状部２ａと反対側に位置する頂点と弧状部２ａの両端とを結ぶ二本の側線部２ｂと、を有する形状をしている。両側線部２ｂは前記頂点側の手前で端部をそれぞれ有し、この両端部を結ぶ線（実際は面）が出光部２４となっている。そして、この出光部２４に近接または当接するように導光部３の入光面３１が設けられている。
【００４２】
そして、透過集光部２の弧状部２ａに、拡散部２５を有している。拡散部２５は、第一実施形態の拡散部２１と同様のもので、光を拡散させる。
【００４３】
第三実施形態においては、拡散部２５に当たった光が拡散され、拡散された光の一部が導光部３へと集められ、拡散部２５に当たらなかった大部分の光は、透過集光部２を透過して下方に照射される。
【００４４】
第三実施形態においては、透過集光部２が上記のような形状をしていることにより、拡散部２５に当たった光が導光部３へと集められ易くなる。すなわち、弧状部２ａに設けられた拡散部２５に当たって拡散された光が側線部２ｂで反射する際の入射角が大きくなる。これにより、側線部２ｂで外部へ透過する光の量が抑えられ、多くの光が導光部３へと集められ易くなる。
【００４５】
次に、第四実施形態の導光照明装置１について、図６に基いて説明する。なお、上記実施形態と同じ構成については説明を省略し、主に異なる部分について説明する。
【００４６】
第四実施形態においては、透過集光部２の拡散部２６が第三実施形態と異なる。透過集光部２の形状は、第三実施形態と同じである。
【００４７】
拡散部２６は、透過集光部２における、照明装置５の光源５１からの光の経路にあたる部分に形成されている。拡散部２６に当たった光は、一部が下方に照射され、残りの一部が導光部３へと集められる。
【００４８】
第四実施形態においても、透過集光部２が第三実施形態の透過集光部２と同様の形状をしていることにより、拡散部２６に当たった光が導光部３へと集められ易くなる。すなわち、拡散部２６に当たって拡散された光が側線部２ｂで反射する際の入射角が大きくなり、側線部２ｂで透過する光の量を抑え、多くの光が導光部３へと集められ易くなる。
【００４９】
次に、第五実施形態の導光照明装置１について、図７、図８に基いて説明する。なお、上記実施形態と同じ構成については説明を省略し、主に異なる部分について説明する。
【００５０】
第五実施形態においては、透過集光部２に、拡散部２５の代わりに反射部２７が設けられる。反射部２７は、透過集光部２の上面（すなわち照明装置５の光源５１に近い側の面）に設けられる、垂直面を有する上方に尖った三角形状をしたものである。反射部２７の斜面からなる反射面２８は、導光部３側を向いている。反射部２７は、透過集光部２において、導光部３への離接方向に複数個が間隔をあけて並設される。第五実施形態においては、透過集光部２と導光部３の離接方向と、透過集光部２と照明装置５の離接方向とが直交している。図７、図８に示すものにあっては、導光部３から遠い側から順に、反射部２７ａ、反射部２７ｂ、反射部２７ｃが設けられている。反射部２７（反射部２７ａ〜反射部２７ｃ）は、導光部３から遠い程、透過集光部２の上面から上方への突出高さが高く形成される。すなわち、反射部２７ａの高さｈ１＞反射部２７ｂの高さｈ２＞反射部２７ｃの高さｈ３となっている。
【００５１】
これにより、照明装置５の光源５１から発せられ、導光部３から遠い反射部２７の反射面２８で反射された光が、導光部３に向けて進行する際に、導光部３までの途中に位置する反射部２７に当たって光が遮られ難くなる。
【００５２】
また、反射面２８の傾斜角は、多くの光が導光部３に集められるように設定されるのが好ましい。第五実施形態においては導光部３から遠い程、反射面２８の水平面に対する傾斜角が大きくなっている。
【００５３】
次に、第六実施形態の導光照明装置１について、図９に基いて説明する。なお、上記実施形態と同じ構成については説明を省略し、主に異なる部分について説明する。
【００５４】
第六実施形態は、第五実施形態において、透過集光部２に、開口２９を有するものである。開口２９は、透過集光部２の反射部２７が設けられない部分に形成されている。
【００５５】
これにより、照明装置５からの熱を放出し易くなる。
【００５６】
次に、第七実施形態の導光照明装置１について、図１０に基いて説明する。なお、上記実施形態と同じ構成については説明を省略し、主に異なる部分について説明する。
【００５７】
第七実施形態は、第一実施形態乃至第六実施形態のいずれかにおいて、導光部３および照射部４を異ならせたものである。
【００５８】
第一実施形態乃至第六実施形態においては、導光部３と照射部４とは別体であった。これに対し、第七実施形態にあっては、導光部３と照射部４とは一体に形成されている。
【００５９】
さらに説明すると、導光部３は、出光面３２となる端面を、斜め下方を向くように傾斜させている。そして、この傾斜した出光面３２が照射部４として機能するものである。すなわち、出光面３２が照射部４の出射面４２として機能している。
【００６０】
これにより、導光部３の端面を傾斜させるだけで照射部４が形成されるため、別部材の照射部４を備える必要がなく、製造の手間およびコストが抑えられ、取付部への固定の手間も抑えられる。
【００６１】
本発明の導光照明装置１にあっては、照明装置５より照射される光の経路に設けられ、前記光の一部を透過させ残りの全部または一部を集める透過集光部２を備える。導光照明装置１は、透過集光部２で集められた光を透過集光部２から離れた場所に導く導光部３と、導光部３に導かれた光を照射させる照射部４と、を備えることを特徴とする。
【００６２】
これにより、既存の照明装置５より照射される光の一部を、透過集光部２で集め、導光部３により照明装置５から離れた照射部４へと導き、照射部４から照射させることができる。この結果、光の死角７が生じるのが抑えられる。
【００６３】
また、透過集光部２の照明装置５に近い側の面に、照明装置５から発せられた光が導光部３に向けて反射される反射面２８を有する反射部２７が、導光部３への離接方向に複数個が間隔をあけて並設される。反射部２７は、導光部３から遠い程、透過集光部２の前記面からの突出高さが高く形成される。
【００６４】
これにより、照明装置５から発せられ、導光部３から遠い反射部２７で反射された光が、導光部３に向けて進行する際に、導光部３までの途中に位置する反射部２７に当たって光が遮られ難くなる。
【００６５】
また、一個の透過集光部２に対して導光部３および照射部４をそれぞれ複数個備えることが好ましい。
【００６６】
これにより、より一層、光の死角７が生じるのが抑えられる。
【符号の説明】
【００６７】
１  導光照明装置
２  透過集光部
３  導光部
４  照射部
５  照明装置
【図１】
0006531937.tif 000002
【図２】
0006531937.tif 000003
【図３】
0006531937.tif 000004
【図４】
0006531937.tif 000005
【図５】
0006531937.tif 000006
【図６】
0006531937.tif 000007
【図７】
0006531937.tif 000008
【図８】
0006531937.tif 000009
【図９】
0006531937.tif 000010
【図１０】
0006531937.tif 000011
【図１１】
0006531937.tif 000012